【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
物体側より像側へ順に配置された、負の屈折力の第１レンズ群、正の屈折力の第２レンズ群、１以上のレンズ群を含む後群からなり、ズーミングに際して隣り合うレンズ群の間隔が変化するズームレンズであって、
前記後群は、負レンズ成分と、該負レンズ成分の像側に隣接して配置された正レンズ成分を有し、前記負レンズ成分と前記正レンズ成分により正の屈折力の空気レンズが形成され、
前記後群のうち前記空気レンズよりも物体側にフォーカシングに際して移動するフォーカスレンズ成分を有し、
無限遠にフォーカスしているときの広角端における前記空気レンズの焦点距離をｆａ、無限遠にフォーカスしているときの広角端における全系の焦点距離をｆｗとするとき、
１．００＜ｆａ／ｆｗ＜８．００
なる条件式を満足することを特徴とするズームレンズ。
【請求項２】
開口絞りをさらに有し、無限遠にフォーカスしているときの広角端における前記空気レンズの物体側のレンズ面から前記開口絞りまでの光軸上の距離をＬａ、広角端におけるレンズ全長をＬｗとするとき、
０．１５＜Ｌａ／Ｌｗ＜０．５０
なる条件式を満足することを特徴とする請求項１に記載のズームレンズ。
【請求項３】
前記第１レンズ群に含まれるレンズの中で最も物体側に配置された負レンズの物体側と像側のレンズ面の参照曲率半径を各々Ｒ１ａ、Ｒ１ｂとし、
ＳＦｇ１＝（Ｒ１ａ＋Ｒ１ｂ）／（Ｒ１ａ−Ｒ１ｂ）
としたとき、
０．４０＜ＳＦｇ１＜１．５０
なる条件式を満足することを特徴とする請求項１又は２に記載のズームレンズ。
【請求項４】
前記空気レンズの物体側と像側のレンズ面の参照曲率半径を各々ＲＦａ、ＲＦｂとし、ＳＦａ＝（ＲＦａ＋ＲＦｂ）／（ＲＦａ−ＲＦｂ）
としたとき、
−１．００＜ＳＦａ＜２．００
なる条件式を満足することを特徴とする請求項１乃至３のいずれか１項に記載のズームレンズ。
【請求項５】
前記負レンズ成分の物体側と像側のレンズ面の参照曲率半径を各々Ｒｎａ、Ｒｎｂとし、
ＳＦｎ＝（Ｒｎａ＋Ｒｎｂ）／（Ｒｎａ−Ｒｎｂ）
としたとき、
−５．００＜ＳＦｎ＜０．００
なる条件式を満足することを特徴とする請求項１乃至４のいずれか１項に記載のズームレンズ。
【請求項６】
前記第１レンズ群の焦点距離をｆ１とするとき、
−３．５０＜ｆ１／ｆｗ＜−１．７５
なる条件式を満足することを特徴とする請求項１乃至５のいずれか１項に記載のズームレンズ。
【請求項７】
広角端におけるレンズ全長をＬｗとするとき、
５．００＜Ｌｗ／ｆｗ＜９．００
なる条件式を満足することを特徴とする請求項１乃至６のいずれか１項に記載のズームレンズ。
【請求項８】
無限遠にフォーカスしているときの広角端における前記フォーカスレンズ成分の横倍率をβｆｗ、無限遠にフォーカスしているときの広角端における前記フォーカスレンズ成分よりも像側に配置されているレンズ系の横倍率をβＲＷ、無限遠にフォーカスしているときの望遠端における前記フォーカスレンズ成分の横倍率をβｆＴ、無限遠にフォーカスしているときの望遠端における前記フォーカスレンズ成分よりも像側に配置されているレンズ系の横倍率をβＲＴとするとき、
０．２５＜｜（１−βｆＷ２）×βＲＷ２｜＜１．００
１．００＜｜（１−βｆＴ２）×βＲＴ２｜＜４．００
なる条件式を満足することを特徴とする請求項１乃至７のいずれか１項に記載のズームレンズ。
【請求項９】
無限遠にフォーカスしているときの広角端から望遠端へのズーミングにおける前記フォーカスレンズ成分の移動量をｍｆとするとき、
１．００＜｜ｍｆ｜／ｆｗ＜４．００
なる条件式を満足することを特徴とする請求項１乃至８のいずれか１項に記載のズームレンズ。
【請求項１０】
無限遠にフォーカスしているときの前記負レンズ成分よりも物体側に配置されたレンズ系の広角端における合成焦点距離をｆｂｆとするとき、
１０．００＜｜ｆｂｆ／ｆｗ｜
なる条件式を満足することを特徴とする請求項１乃至９のいずれか１項に記載のズームレンズ。
【請求項１１】
前記後群は、物体側から像側へ順に配置された、正の屈折力の第３レンズ群、正の屈折力の第４レンズ群より構成され、ズーミングに際して前記第１レンズ群、前記第２レンズ群、前記第３レンズ群が移動し、
前記第３レンズ群は物体側から像側へ順に配置された、正の屈折力の部分群Ｂ３Ｐ、負の屈折力の部分群Ｂ３Ｎより構成され、
前記部分群Ｂ３Ｎは前記負レンズ成分であり、前記第４レンズ群は前記正レンズ成分であることを特徴とする請求項１乃至１０のいずれか１項に記載のズームレンズ。
【請求項１２】
前記後群は、物体側から像側へ順に配置された、正の屈折力の第３レンズ群、負の屈折力の第４レンズ群、正の屈折力の第５レンズ群より構成され、ズーミングに際して全てのレンズ群が移動し、
前記第４レンズ群は前記負レンズ成分であり、前記第５レンズ群は前記正レンズ成分であることを特徴とする請求項１乃至１０のいずれか１項に記載のズームレンズ。
【請求項１３】
前記後群は、物体側から像側へ順に配置された、正の屈折力の第３レンズ群、負の屈折力の第４レンズ群、正の屈折力の第５レンズ群より構成され、ズーミングに際して前記第１レンズ群、前記第２レンズ群、前記第３レンズ群、前記第４レンズ群が移動し、
前記第４レンズ群は前記負レンズ成分であり、前記第５レンズ群は前記正レンズ成分であることを特徴とする請求項１乃至１０のいずれか１項に記載のズームレンズ。
【請求項１４】
請求項１乃至１３のいずれか１項に記載のズームレンズと、該ズームレンズによって形成される像を受光する撮像素子とを有していることを特徴とする撮像装置。
【請求項１５】
広角端における最大画角における歪曲収差量をＤｉｓｔＷとするとき、
ＤｉｓｔＷ＜−１２％
なる条件式を満足することを特徴とする請求項１４に記載の撮像装置。
【手続補正２】
【補正対象書類名】明細書
【補正対象項目名】０００９
【補正方法】変更
【補正の内容】
【０００９】
本発明のズームレンズは、物体側より像側へ順に配置された、負の屈折力の第１レンズ群、正の屈折力の第２レンズ群、１以上のレンズ群を含む後群からなり、ズーミングに際して隣り合うレンズ群の間隔が変化するズームレンズであって、
前記後群は、負レンズ成分と、該負レンズ成分の像側に隣接して配置された正レンズ成分を有し、前記負レンズ成分と前記正レンズ成分により正の屈折力の空気レンズが形成され、
前記後群のうち前記空気レンズよりも物体側にフォーカシングに際して移動するフォーカスレンズ成分を有し、
無限遠にフォーカスしているときの広角端における前記空気レンズの焦点距離をｆａ、無限遠にフォーカスしているときの広角端における全系の焦点距離をｆｗとするとき、
１．００＜ｆａ／ｆｗ＜８．００
なる条件式を満足することを特徴としている。
【手続補正３】
【補正対象書類名】明細書
【補正対象項目名】００１２
【補正方法】変更
【補正の内容】
【００１２】
以下に本発明の好ましい実施の形態を添付の図面に基づいて詳細に説明する。本発明のズームレンズは、物体側より像側へ順に配置された、負の屈折力の第１レンズ群、正の屈折力の第２レンズ群、１以上のレンズ群を含む後群からなり、ズーミングに際して隣り合うレンズ群の間隔が変化する。後群は、負レンズ成分と、負レンズ成分の像側に隣接して配置された正レンズ成分を有している。負レンズ成分と正レンズ成分により正の屈折力の空気レンズが形成される。後群のうち空気レンズよりも物体側にフォーカシングに際して移動するフォーカスレンズ成分を有している。
【手続補正４】
【補正対象書類名】明細書
【補正対象項目名】００２１
【補正方法】変更
【補正の内容】
【００２１】
また、非点収差を示す図において、実線のＳはｄ線のサジタル方向、破線のＭはｄ線のメリディオナル方向を表している。また、歪曲を示す図は、ｄ線における歪曲を表している。倍率色収差図において２点鎖線のｇはｄ線に対する倍率色収差を示している。ＦｎｏはＦナンバー、ωは撮影画角の半画角（度）である。
【手続補正５】
【補正対象書類名】明細書
【補正対象項目名】００３３
【補正方法】変更
【補正の内容】
【００３３】
第１レンズ群Ｂ１に含まれるレンズの中で、最も物体側に配置された負レンズの物体側と像側のレンズ面の参照曲率半径を各々Ｒ１ａ，Ｒ１ｂとし、
ＳＦｇ１＝（Ｒ１ａ＋Ｒ１ｂ）／（Ｒ１ａ−Ｒ１ｂ）
とおく。ここでレンズ面が球面の場合は参照曲率半径を曲率半径とする。またレンズ面が非球面の場合には、参照曲率半径とは非球面の光軸上の一点と非球面の有効径で定まる２点との合計３点を通る球面の曲率半径である。
【手続補正６】
【補正対象書類名】明細書
【補正対象項目名】００３７
【補正方法】変更
【補正の内容】
【００３７】
０．１５＜Ｌａ／Ｌｗ＜０．５０                  ・・・（２）
０．４０＜ＳＦｇ１＜１．５０                    ・・・（３）
−１．００＜ＳＦａ＜２．００                    ・・・（４）
−５．００＜ＳＦｎ＜０．００                    ・・・（５）
−３．５０＜ｆ１／ｆｗ＜−１．７５              ・・・（６）
５．００＜Ｌｗ／ｆｗ＜９．００                  ・・・（７）
０．２５＜｜（１−βｆＷ2）×βＲＷ2｜＜１．００  ・・・（８）
１．００＜｜（１−βｆＴ2）×βＲＴ2｜＜４．００  ・・・（９）
１．００＜｜ｍｆ｜／ｆｗ＜４．００              ・・・（１０）
１０．００＜｜ｆｂｆ／ｆｗ｜                    ・・・（１１）
【手続補正７】
【補正対象書類名】明細書
【補正対象項目名】００４９
【補正方法】変更
【補正の内容】
【００４９】
０．１６＜Ｌａ／Ｌｗ＜０．４８                    ・・・（２ａ）
０．４０＜ＳＦｇ１＜１．２０                      ・・・（３ａ）
−０．８０＜ＳＦａ＜１．８０                      ・・・（４ａ）
−４．８０＜ＳＦｎ＜−０．２０                    ・・・（５ａ）
−３．２０＜ｆ１／ｆｗ＜−１．８０                ・・・（６ａ）
５．５０＜Ｌｗ／ｆｗ＜８．５０                    ・・・（７ａ）
０．２８＜｜（１−βｆＷ2）×βＲＷ2｜＜０．９０    ・・・（８ａ）
１．１０＜｜（１−βｆＴ2）×βＲＴ2｜＜３．９５    ・・・（９ａ）
１．２０＜｜ｍｆ｜／ｆｗ＜３．５０                ・・・（１０ａ）
１２．００＜｜ｆｂｆ／ｆｗ｜                      ・・・（１１ａ）
【手続補正８】
【補正対象書類名】明細書
【補正対象項目名】００５０
【補正方法】変更
【補正の内容】
【００５０】
さらに好ましくは条件式（２）乃至（１１）の数値範囲を次のように設定することが好ましい。
０．１８＜Ｌａ／Ｌｗ＜０．４５                    ・・・（２ｂ）
０．４０＜ＳＦｇ１＜１．００                      ・・・（３ｂ）
−０．５０＜ＳＦａ＜１．６０                      ・・・（４ｂ）
−４．５０＜ＳＦｎ＜―０．５０                    ・・・（５ｂ）
−２．８０＜ｆ１／ｆｗ＜−２．００                ・・・（６ｂ）
６．００＜Ｌｗ／ｆｗ＜８．００                    ・・・（７ｂ）
０．３０＜｜（１−βｆＷ2）×βＲＷ2｜＜０．８０    ・・・（８ｂ）
１．１５＜｜（１−βｆＴ2）×βＲＴ2｜＜３．９０    ・・・（９ｂ）
１．５０＜｜ｍｆ｜／ｆｗ＜３．００                ・・・（１０ｂ）
１５．００＜｜ｆｂｆ／ｆｗ｜                      ・・・（１１ｂ）
【手続補正９】
【補正対象書類名】明細書
【補正対象項目名】００８０
【補正方法】変更
【補正の内容】
【００８０】
(数値実施例１)
面データ
面番号       r        d      nd         νd       有効径
1*       -49.890    1.20   1.85135    40.1       23.60
2*        14.483    4.50                         20.70
3         34.566    2.28   1.94595    18.0       21.20
4        221.131  (可変)                         21.00
5(絞り)    ∞       0.00                         12.61
6*        11.778    3.19   1.76802    49.2       13.10
7*      -135.194    0.15                         12.60
8         11.418    2.79   1.69680    55.5       11.30
9        487.139    0.50   1.76182    26.5       10.20
10          6.768  (可変)                          8.50
11          ∞     (可変)                          7.86
12         29.486    2.61   1.49700    81.5       11.40
13        -19.440    2.73                         11.70
14*        -8.767    0.50   1.58313    59.4       11.70
15*       -32.696  (可変)                         12.50
16*        20.296    3.32   1.85135    40.1       18.90
17       -537.100    1.32                         18.60
18          ∞       1.30   1.51633    64.1       25.00
19          ∞       1.00                         25.00
像面        ∞   
【手続補正１０】
【補正対象書類名】明細書
【補正対象項目名】００９２
【補正方法】変更
【補正の内容】
【００９２】
(数値実施例７)
面データ
面番号       r        d      nd         νd       有効径
1*       -50.216    1.20   1.85135    40.1       23.40
2*        14.911    4.50                         20.50
3         34.803    2.07   1.94595    18.0       20.90
4        195.977  (可変)                         20.70
5*        11.565    3.17   1.76802    49.2       13.10
6*      -132.558    0.15                         12.60
7         11.315    2.53   1.69680    55.5       11.30
8        188.978    0.50   1.76182    26.5       10.30
9          6.776    4.71                          8.60
10(絞り)    ∞     (可変)                          7.48
11         22.547    2.71   1.49700    81.5       11.10
12        -20.057    2.85                         11.20
13*        -8.395    0.50   1.58313    59.4       11.30
14*       -35.696  (可変)                         12.10
15*        23.358    2.84   1.85135    40.1       18.00
16      -2017.082    0.72                         17.80
17          ∞       1.30   1.51633    64.1       25.00
18          ∞       1.00                         25.00
像面        ∞   
【手続補正１１】
【補正対象書類名】明細書
【補正対象項目名】００９４
【補正方法】変更
【補正の内容】
【００９４】
【表１】
2015125383.tif 000001